(57)【要約】      （修正有）【課題】受信確認のできないマルチキャスト通信またはブロードキャスト通信における伝送パラメータを最適化し、無線通信効率を向上する。【解決手段】無線基地局と複数の無線端末局との間で、受信確認を行うことができる第１方式の通信と、受信確認を行うことができない第２方式の通信と、を行う無線通信システムにおける伝送パラメータ制御方法であって、無線基地局は、無線端末局との間で第１方式の通信を行う場合の無線通信情報に基づいて、無線端末局との間で第２方式の通信を行う場合の伝送レートを含む伝送パラメータを選択する。【選択図】図４
2020167451.tif 000002
【特許請求の範囲】
【請求項１】
無線基地局と複数の無線端末局との間で、受信確認を行うことができる第１方式の通信と、受信確認を行うことができない第２方式の通信と、を行う無線通信システムにおける伝送パラメータ制御方法であって、
前記無線基地局は、前記無線端末局との間で前記第１方式の通信を行う場合の無線通信情報に基づいて、前記無線端末局との間で前記第２方式の通信を行う場合の伝送レートを含む伝送パラメータを選択する
ことを特徴とする伝送パラメータ制御方法。
【請求項２】
請求項１に記載の伝送パラメータ制御方法において、
前記無線基地局は、前記無線端末局との間で前記第１方式の通信を行う場合の伝送レートのうち最も低い伝送レートを前記第２方式の通信の伝送レートに選択する
ことを特徴とする伝送パラメータ制御方法。
【請求項３】
請求項１または２に記載の伝送パラメータ制御方法において、
前記第１方式の通信は、ユニキャスト通信であり、
前記第２方式の通信は、マルチキャスト通信またはブロードキャスト通信である
ことを特徴とする伝送パラメータ制御方法。
【請求項４】
複数の無線端末局との間で、受信確認を行うことができる第１方式の通信と、受信確認を行うことができない第２方式の通信と、を行う無線基地局と、複数の前記無線基地局を制御する制御局とを有する無線通信システムにおける伝送パラメータ制御方法であって、
前記無線基地局は、前記無線端末局との間で前記第１方式の通信を行う場合の無線通信情報と、自局以外の無線通信に関する無線環境情報とを収集して前記制御局に送信し、前記無線端末局との間で前記第２方式の通信を行う場合の伝送レートを含む伝送パラメータを前記制御局から受信し、
前記制御局は、複数の前記無線基地局から受信する前記無線通信情報および前記無線環境情報に基づいて、前記無線基地局と前記無線端末局との間で前記第２方式の通信を行う場合の伝送レートを含む伝送パラメータを決定して当該無線基地局に送信する
ことを特徴とする伝送パラメータ制御方法。
【請求項５】
請求項４に記載の伝送パラメータ制御方法において、
前記制御局は、前記無線基地局と前記無線端末局との間で前記第１方式の通信を行う場合の伝送レートのうち最も低い伝送レートを前記第２方式の通信を行う場合の伝送レートに決定して当該無線基地局に送信する
ことを特徴とする伝送パラメータ制御方法。
【請求項６】
請求項４または５に記載の伝送パラメータ制御方法において、
前記第１方式の通信は、ユニキャスト通信であり、
前記第２方式の通信は、マルチキャスト通信またはブロードキャスト通信である
ことを特徴とする伝送パラメータ制御方法。
【請求項７】
複数の無線端末局との間で、受信確認を行うことができる第１方式の通信と、受信確認を行うことができない第２方式の通信と、を行う無線基地局と、複数の前記無線基地局を制御する制御局において、
前記無線基地局が前記無線端末局との間で前記第１方式の通信を行う場合の無線通信情報および当該無線基地局以外の無線通信に関する無線環境情報をネットワークを介して受信し、前記無線基地局が前記無線端末局との間で前記第２方式の通信を行う場合の伝送パラメータをネットワークを介して前記無線基地局に送信するネットワーク通信部と、
複数の前記無線基地局から受信する前記無線通信情報および前記無線環境情報に基づいて、前記無線基地局と前記無線端末局との間で前記第２方式の通信を行う場合の伝送レートを含む伝送パラメータを決定して当該無線基地局に送信する情報処理部と
を有することを特徴とする制御局。
【請求項８】
複数の無線端末局との間で、受信確認を行うことができる第１方式の通信と、受信確認を行うことができない第２方式の通信と、を行う無線基地局において、
前記無線端末局との間で前記第１方式の通信を行う場合の無線通信情報を取得する情報収集部と、
前記無線通信情報に基づいて、前記無線端末局と前記第２方式の通信を行う場合の伝送レートを含む伝送パラメータを選択する
ことを特徴とする無線基地局。
【発明の詳細な説明】
【技術分野】
【０００１】
本発明は、伝送パラメータ制御方法、制御局および無線基地局に関する。
【背景技術】
【０００２】
２．４ＧＨｚ帯又は５ＧＨｚ帯の電波を用いた高速無線アクセスシステムとして、ＩＥＥＥ８０２．１１ａ規格、ＩＥＥＥ８０２．１１ｇ規格などに基づくシステムが用いられている。これらのシステムでは、直交周波数分割多重（ＯＦＤＭ:Orthogonal Frequency Division Multiplexing）変調方式を用いることにより、マルチパスフェージング環境での通信特性を安定化させて、最大５４Ｍｂｉｔ／ｓの伝送速度を実現している。
【０００３】
また、ＩＥＥＥ８０２．１１ｎ規格に基づく高速無線アクセスシステムでは、２．４ＧＨｚ帯又は５ＧＨｚ帯において、複数のアンテナを用いて同一の無線チャネルで空間分割多重を行うＭＩＭＯ（Multiple Input Multiple Output）技術や、２０ＭＨｚの周波数チャネルを２つ同時に利用して４０ＭＨｚの周波数チャネルを利用するチャネルボンディング技術を用いて、最大６００Ｍｂｉｔｓ／ｓの伝送速度を実現している。
【０００４】
また、ＩＥＥＥ８０２．１１ａｃの規格に基づく高速無線アクセスシステムでは、５ＧＨｚ帯において、２０ＭＨｚの周波数チャネルを８つまで同時に利用できるようにして最大１６０ＭＨｚの周波数チャネルとして利用するチャネルボンディング技術や、同一の無線チャネルで複数の宛先に対して異なる信号を同時伝送するマルチユーザＭＩＭＯ技術等を利用し、ＩＥＥＥ８０２．１１ｎ規格より高速かつ高効率な無線通信を実現している（例えば、非特許文献１参照）。
【０００５】
ここで、無線通信システムには、無線基地局と無線端末局との間で受信確認を行うことができるユニキャスト通信と、受信確認を行うことができないマルチキャスト通信またはブロードキャスト通信とがあり、マルチキャスト通信またはブロードキャスト通信は、報知情報の展開や一斉動画配信など、複数のユーザまたは全てのユーザに対して同じデータを送信する場合に利用される。
【先行技術文献】
【非特許文献】
【０００６】
【非特許文献１】IEEE802.11-2016規格
【発明の概要】
【発明が解決しようとする課題】
【０００７】
無線通信システムにおいてマルチキャスト通信またはブロードキャスト通信を行う場合、複数または不特定多数の端末が受信局となるため、受信局側からの受信応答（Ａｃｋ信号）が送信されず、送信局側は送信した無線信号が受信局側で正しく受信されたか否かを瞬時に判別して再送することが難しいという問題がある。そのため、マルチキャスト通信またはブロードキャスト通信では通信の誤りを抑える必要があり、無線基地局が行う通信で規定する最も低い伝送レート（例えば無線ＬＡＮではベーシックレート）で無線信号が送信されていた。しかし、伝送レートが低いため、同じ容量のデータを送信する場合でも多くの時間がかかり、通信効率の低下を招くという問題が生じる。逆に、伝送レートを意図的に高く設定した場合には、受信側で受信エラーが発生する可能性がある。ユニキャスト通信では、受信局側からの受信応答に基づいて伝送レートを最適化できるが、マルチキャスト通信またはブロードキャスト通信ではその仕組みを利用することができず、伝送レートの最適化が難しかった。なお、伝送レートだけでなく、変調多値数、ガードインターバルの長さ、送信ストリーム数、帯域幅、或いは誤り訂正方式などを含めて伝送パラメータの最適化を含む。
【０００８】
本発明では、受信確認を行うことができる第１方式の通信の無線通信情報や自局以外の通信に関する無線環境情報に基づいて、受信確認を行うことができない第２方式の通信における伝送パラメータの最適化を行うことにより、無線通信効率を向上できる伝送パラメータ制御方法、制御局および無線基地局を提供することを目的とする。
【課題を解決するための手段】
【０００９】
第１の発明は、無線基地局と複数の無線端末局との間で、受信確認を行うことができる第１方式の通信と、受信確認を行うことができない第２方式の通信と、を行う無線通信システムにおける伝送パラメータ制御方法であって、前記無線基地局は、前記無線端末局との間で前記第１方式の通信を行う場合の無線通信情報に基づいて、前記無線端末局との間で前記第２方式の通信を行う場合の伝送レートを含む伝送パラメータを選択することを特徴とする。
【００１０】
第２の発明は、第１の発明において、前記無線基地局は、前記無線端末局との間で前記第１方式の通信を行う場合の伝送レートのうち最も低い伝送レートを前記第２方式の通信の伝送レートに選択することを特徴とする。
【００１１】
第３の発明は、第１の発明または第２の発明において、前記第１方式の通信は、ユニキャスト通信であり、前記第２方式の通信は、マルチキャスト通信またはブロードキャスト通信であることを特徴とする。
【００１２】
第４の発明は、複数の無線端末局との間で、受信確認を行うことができる第１方式の通信と、受信確認を行うことができない第２方式の通信と、を行う無線基地局と、複数の前記無線基地局を制御する制御局とを有する無線通信システムにおける伝送パラメータ制御方法であって、前記無線基地局は、前記無線端末局との間で前記第１方式の通信を行う場合の無線通信情報と、自局以外の無線通信に関する無線環境情報とを収集して前記制御局に送信し、前記無線端末局との間で前記第２方式の通信を行う場合の伝送レートを含む伝送パラメータを前記制御局から受信し、前記制御局は、複数の前記無線基地局から受信する前記無線通信情報および前記無線環境情報に基づいて、前記無線基地局と前記無線端末局との間で前記第２方式の通信を行う場合の伝送レートを含む伝送パラメータを決定して当該無線基地局に送信することを特徴とする。
【００１３】
第５の発明は、第４の発明において、前記制御局は、前記無線基地局と前記無線端末局との間で前記第１方式の通信を行う場合の伝送レートのうち最も低い伝送レートを前記第２方式の通信を行う場合の伝送レートに決定して当該無線基地局に送信することを特徴とする。
【００１４】
第６の発明は、第４の発明または第５の発明において、前記第１方式の通信は、ユニキャスト通信であり、前記第２方式の通信は、マルチキャスト通信またはブロードキャスト通信であることを特徴とする。
【００１５】
第７の発明は、複数の無線端末局との間で、受信確認を行うことができる第１方式の通信と、受信確認を行うことができない第２方式の通信と、を行う無線基地局と、複数の前記無線基地局を制御する制御局において、前記無線基地局が前記無線端末局との間で前記第１方式の通信を行う場合の無線通信情報および当該無線基地局以外の無線通信に関する無線環境情報をネットワークを介して受信し、前記無線基地局が前記無線端末局との間で前記第２方式の通信を行う場合の伝送パラメータをネットワークを介して前記無線基地局に送信するネットワーク通信部と、複数の前記無線基地局から受信する前記無線通信情報および前記無線環境情報に基づいて、前記無線基地局と前記無線端末局との間で前記第２方式の通信を行う場合の伝送レートを含む伝送パラメータを決定して当該無線基地局に送信する情報処理部とを有することを特徴とする。
【００１６】
第８の発明は、複数の無線端末局との間で、受信確認を行うことができる第１方式の通信と、受信確認を行うことができない第２方式の通信と、を行う無線基地局において、前記無線端末局との間で前記第１方式の通信を行う場合の無線通信情報を取得する情報収集部と、前記無線通信情報に基づいて、前記無線端末局と前記第２方式の通信を行う場合の伝送レートを含む伝送パラメータを選択することを特徴とする。
【発明の効果】
【００１７】
本発明に係る伝送パラメータ制御方法、制御局および無線基地局は、受信確認を行うことができる第１方式の通信の無線通信情報や自局以外の通信に関する無線環境情報に基づいて、受信確認を行うことができない第２方式の通信における伝送パラメータの最適化を行うことにより、無線通信効率を向上することができる。
【図面の簡単な説明】
【００１８】
【図１】第１実施形態に係る無線通信システムの一例を示す図である。
【図２】第１実施形態に係る無線基地局の構成例を示す図である。
【図３】ユニキャスト通信の無線通信情報の一例を示す図である。
【図４】第１実施形態に係る無線基地局の処理例を示す図である。
【図５】第２実施形態に係る無線通信システムの構成例を示す図である。
【図６】第２実施形態に係る制御局および無線基地局の構成例を示す図である。
【図７】第２実施形態に係る制御局および無線基地局の処理例を示す図である。
【発明を実施するための形態】
【００１９】
以下、図面を参照して本発明に係る伝送パラメータ制御方法、制御局および無線基地局の実施形態について説明する。
【００２０】
［第１実施形態］
図１は、第１実施形態に係る無線通信システム１００の一例を示す。図１において、無線通信システム１００は、無線基地局１０１、無線端末局１０２（１）から無線端末局１０２（Ｎ）（Ｎ：正の整数）を有する。ここで、以降の説明において、無線端末局１０２（１）から無線端末局１０２（Ｎ）に共通の説明を行う場合は、符号末尾の（番号）を省略して無線端末局１０２と表記し、特定の無線端末局１０２を指す場合は、符号末尾に（番号）を付加して、例えば無線端末局１０２（１）のように表記する。
【００２１】
図１において、複数の無線端末局１０２は、無線基地局１０１にそれぞれ無線で接続し、無線通信を行う。ここで、無線基地局１０１は、複数の無線端末局１０２との間で、受信確認を行うことができる第１方式の通信と、受信確認を行うことができない第２方式の通信と、を行うものとする。なお、本実施形態および以降で説明する他の実施形態では、受信確認を行うことができる第１方式の通信としてユニキャスト通信を例に挙げて説明する。同様に、受信確認を行うことができない第２方式の通信としてマルチキャスト通信またはブロードキャスト通信を例に挙げて説明する。
【００２２】
図２は、第１実施形態に係る無線基地局１０１の構成例を示す。図２において、無線基地局１０１は、アンテナ２０１、無線部２０２、無線通信情報収集部２０３、情報処理部２０４および無線設定部２０５を備える。
【００２３】
アンテナ２０１は、無線部２０２に接続され、無線部２０２から出力される無線フレームを電波に変換して送信するとともに、無線端末局１０２から送信される電波を無線フレームに変換して無線部２０２に出力する。
【００２４】
無線部２０２は、無線通信機能および無線通信情報収集機能の２つの機能を有する。無線通信機能では、無線部２０２は、無線設定部２０５により設定された伝送パラメータ（伝送レートを主とする変調多値数、ガードインターバルの長さ、送信ストリーム数、帯域幅、或いは誤り訂正方式など）を用いて、アンテナ２０１を介して無線端末局１０２との間で無線フレームの送信および受信を行う。無線通信情報収集機能では、無線部２０２は、無線端末局１０２と自局との通信に関する情報（伝送レートを含む伝送パラメータなどの無線通信情報）を取得し、無線通信情報収集部２０３へ出力する。なお、無線通信情報の具体例については、後で詳しく説明する。
【００２５】
無線通信情報収集部２０３は、各無線端末局１０２との無線通信情報を無線部２０２から収集し、情報処理部２０４へ出力する。ここで、本実施形態では、無線通信情報収集部２０３は、ユニキャスト通信に関する無線通信情報を収集し、情報処理部２０４へ出力する。
【００２６】
情報処理部２０４は、無線通信情報収集部２０３から無線通信情報を取得し、マルチキャスト通信の伝送パラメータまたはブロードキャスト通信の伝送パラメータを算出して無線設定部２０５へ出力する。なお、算出方法については後述する。
【００２７】
無線設定部２０５は、情報処理部２０４が算出したマルチキャスト通信の伝送パラメータまたはブロードキャスト通信の伝送パラメータを取得し、無線部２０２に設定する。
【００２８】
ここで、図２において、一般的な無線基地局に搭載される機能のブロック（例えば、無線パケットのルーティングなど）については、省略してある。
【００２９】
このように、第１実施形態に係る無線基地局１０１は、無線通信情報としてユニキャスト通信に関する情報を取得して、マルチキャスト通信の伝送パラメータまたはブロードキャスト通信の伝送パラメータを算出するので、通信環境に応じたマルチキャスト通信またはブロードキャスト通信における伝送パラメータを最適化することができ、無線通信効率を向上することができる。
【００３０】
また、無線通信情報は、無線基地局１０１が配下の無線端末局１０２との間で行った受信確認を行うことができる通信（本実施形態では、ユニキャスト通信）に関する情報である。
【００３１】
図３は、ユニキャスト通信の無線通信情報の一例を示す。図３の例では、無線基地局１０１から無線端末局１０２への下り方向（送信時）の通信情報と、無線端末局１０２から無線基地局１０１への上り方向（受信時）の通信情報とがユニキャスト通信の無線通信情報として無線通信情報収集部２０３に取得される。送信時の通信情報は、例えば、伝送レートを含む伝送パラメータ（ＭＣＳ（Modulation and Coding Scheme）  ｉｎｄｅｘ）、送信パケット数、再送パケット数などの情報である。同様に、受信時の通信情報は、例えば、伝送パラメータ、受信パケット数、再送パケット数などの情報である。
【００３２】
図３の例では、ＭＣＳ  ｉｎｄｅｘ＝１の場合において、下り方向の送信パケット数＝２、再送パケット数＝２であり、上り方向の受信パケット数＝１０３、再送パケット数＝３８である。ＭＣＳ  ｉｎｄｅｘ＝２の場合において、下り方向の送信パケット数＝１９５４０、再送パケット数＝３８であり、上り方向の受信パケット数＝３４２７８、再送パケット数＝８９２であり、送信パケット数および受信パケット数は、表の中で一番多い。そして、全てのＭＣＳ  ｉｎｄｅｘにおける各値の合計が求められる。図３の例では、下り方向の合計の送信パケット数＝７８５３４１、合計の再送パケット数＝９３４であり、上り方向の合計の受信パケット数＝９２３４５、合計の再送パケット数＝８９３４である。
【００３３】
このように、各伝送パラメータに対して上り方向および下り方向のそれぞれにおけるパケット数やその中の再送パケット数などがユニキャスト通信の無線通信情報として無線通信情報収集部２０３により取集され、無線通信情報収集部２０３または情報処理部２０４に記録される。
【００３４】
図４は、第１実施形態に係る無線基地局１０１の処理例を示す。図４に示す処理は、無線基地局１０１におけるマルチキャスト通信の伝送パラメータまたはブロードキャスト通信の伝送パラメータの設定手順の一例であり、図２で説明した無線基地局１０１の各ブロックにより実行される。
【００３５】
ステップＳ１０１において、無線基地局１０１は、自局の通信に関する無線通信情報（本実施形態では、ユニキャスト通信の無線通信情報）を取得する。
【００３６】
ステップＳ１０２において、無線基地局１０１は、無線通信情報に基づいて、マルチキャスト通信の伝送パラメータまたはブロードキャスト通信の伝送パラメータを算出する。
【００３７】
ステップＳ１０３において、無線基地局１０１は算出したマルチキャスト通信の伝送パラメータまたはブロードキャスト通信の伝送パラメータを自局の無線部２０２に設定する。
【００３８】
このようにして、本実施形態に係る無線基地局１０１は、ユニキャスト通信の無線通信情報に基づいて、マルチキャスト通信の伝送パラメータまたはブロードキャスト通信の伝送パラメータを設定することができる。そして、図４で説明した処理を予め決められた時間間隔で定期的に実行することで、無線通信状態や通信環境の変動がある場合でも、マルチキャスト通信またはブロードキャスト通信における伝送パラメータを動的に制御して最適化することができ、無線通信効率を向上することができる。
【００３９】
（マルチキャスト通信またはブロードキャスト通信の伝送パラメータの算出方法）
次に、マルチキャスト通信の伝送パラメータまたはブロードキャスト通信の伝送パラメータの算出方法について、詳しく説明する。
【００４０】
マルチキャスト通信の伝送パラメータまたはブロードキャスト通信の伝送パラメータの算出方法は、例えば、ユニキャスト通信の無線通信情報のうち、下り方向の通信で用いられている最も確実にデータを送信できる伝送パラメータ（例えば、最低の伝送レート）を選択してもよい。図３の場合、例えば、ＭＣＳ  ｉｎｄｅｘ＝１の伝送パラメータに対応する。ここで、ＭＣＳ  ｉｎｄｅｘ＝１と２の伝送パラメータの伝送レートが同じであってもＭＣＳ  ｉｎｄｅｘ＝１の変調多値数がＭＣＳ  ｉｎｄｅｘ＝２の変調多値数よりもノイズに強い場合、ＭＣＳ  ｉｎｄｅｘ＝１の伝送パラメータを選択する。なお、変調多値数などの伝送レート以外の伝送パラメータを考慮せずに、単純に伝送レートだけで選択するようにしてもよい。
【００４１】
伝送レートを用いる場合、予め閾値（例えば、９０％）を設定しておき、上位からその閾値までに含まれる伝送レートの中で最低の伝送レートを選択してもよい。例えば、上位の伝送レートが３０Ｍｂｐｓの場合、３０Ｍｂｐｓの９０％の伝送レートは２７Ｍｂｐｓなので、３０Ｍｂｐｓから２７Ｍｂｐｓまでに含まれるＭＣＳ  ｉｎｄｅｘの伝送レートが選択される。
【００４２】
また、選択された伝送レートに対して予め決められたマージンを持たせた伝送レートを用いてもよい。例えば、選択された伝送レートが２０Ｍｂｐｓの場合、マージンが１０％の２Ｍｂｐｓとすると、１８ＭｂｐｓとなるＭＣＳ  ｉｎｄｅｘの伝送レートが選択される。
【００４３】
ここで、マルチキャスト通信の伝送パラメータまたはブロードキャスト通信の伝送パラメータは同じ値を用いることができる他、マルチキャストの受信に参加（ジョイン）した無線端末局１０２に対するユニキャスト通信の無線通信情報が個別に判別できる場合には、その情報を用いてマルチキャスト通信の伝送パラメータを設定することにより、マルチキャスト通信に参加中の無線端末局１０２に応じて伝送パラメータを設定することができる。例えば、無線端末局１０２（１）のユニキャスト通信の無線通信情報に基づいて算出したマルチキャスト通信の伝送レートが２０Ｍｂｐｓ、無線端末局１０２（２）のユニキャスト通信の無線通信情報に基づいて算出したマルチキャスト通信の伝送レートが１５Ｍｂｐｓ、無線端末局１０２（３）のユニキャスト通信の無線通信情報に基づいて算出したマルチキャスト通信の伝送レートが２５Ｍｂｐｓ、の場合、無線基地局１０１は、マルチキャスト通信の伝送レートを１５Ｍｂｐｓに設定する。
【００４４】
また、無線通信情報と合わせて、無線基地局１０１の送信時にアンテナのビームフォーミングを適用したか否かの情報をさらに取得できる場合、ビームフォーミングを用いるユニキャスト通信と、ビームフォーミングを用いないマルチキャスト通信またはブロードキャスト通信との受信電力差を考慮して、マルチキャスト通信の伝送パラメータまたはブロードキャスト通信の伝送パラメータを算出することができる。
【００４５】
なお、ユニキャスト通信と、マルチキャスト通信またはブロードキャスト通信とで、周波数帯域や通信規格がそれぞれ異なる場合が考えられる。例えば、ユニキャスト通信を５ＧＨｚ帯の８０２．１１ａｃで行い、マルチキャスト通信またはブロードキャスト通信を２．４ＧＨｚ帯の８０２．１１ｇで行う場合などである。このような場合、周波数帯域の違いによる電波伝搬特性の違いや、利用可能な伝送レートの違いを考慮することで、より適した伝送パラメータを算出することができる。
【００４６】
このようにして、本実施形態に係る無線通信システム１００は、ユニキャスト通信の無線通信情報に基づいて、マルチキャスト通信の伝送パラメータまたはブロードキャスト通信の伝送パラメータを算出することができる。
【００４７】
［第２実施形態］
図５は、第２実施形態に係る無線通信システム１００ａの構成例を示す。図５において、無線通信システム１００ａは、通信エリア３０１（１）の無線基地局１０１ａ（１）から通信エリア３０１（Ｍ）の無線基地局１０１ａ（Ｍ）までのＭ個（Ｍは正の整数）の無線基地局１０１ａをネットワーク３０２を介して制御する制御局３０３を有する。
【００４８】
図５において、無線基地局１０１ａ（１）は、配下に無線端末局１０２（１，１）から無線端末局１０２（Ｎ，１）までのＮ個（Ｎは正の整数）の無線端末局１０２を有し、同様に、無線基地局１０１ａ（Ｍ）は、配下に無線端末局１０２（１，Ｍ）から無線端末局１０２（Ｋ，Ｍ）までのＫ個（Ｋは正の整数）の無線端末局１０２を有する。なお、Ｎ＝Ｋである必要は無く、各無線基地局１０１ａは、異なる数の無線端末局１０２を有していてもよい。ここで、以降の説明において、無線基地局１０１ａ（１）から無線基地局１０１ａ（Ｍ）に共通の説明を行う場合は、符号末尾の（番号）を省略して無線基地局１０１ａと表記し、特定の無線基地局１０１ａを指す場合は、符号末尾に（番号）を付加して、例えば無線基地局１０１ａ（１）にように表記する。通信エリア３０１（１）から通信エリア３０１（Ｍ）についても同様に表記する。また、無線端末局１０２（１，１）から無線端末局１０２（Ｋ，Ｍ）に共通の説明を行う場合は、符号末尾の（端末番号，通信エリア番号）を省略して無線端末局１０２と表記し、特定の無線端末局１０２を指す場合は、符号末尾に（端末番号，通信エリア番号）を付加して、例えば無線端末局１０２（１，１）のように表記する。
【００４９】
図５において、通信エリア３０１毎の複数の無線端末局１０２は、各通信エリア３０１の無線基地局１０１ａに無線でそれぞれ接続し、無線基地局１０１ａとの間で無線通信を行う。なお、無線基地局１０１ａは、配下の複数の無線端末局１０２との間で、ユニキャスト通信と、マルチキャスト通信またはブロードキャスト通信とを行うものとする。
【００５０】
ここで、第１実施形態で説明した図１の無線通信システム１００と異なる点は、制御局３０３が複数の無線基地局１０１ａと接続され、複数の無線基地局１０１ａは制御局３０３により制御されることである。
【００５１】
図６は、第２実施形態に係る制御局３０３および無線基地局１０１ａの構成例を示す。
【００５２】
図６において、無線基地局１０１ａは、アンテナ２０１ａ、無線部２０２ａ、無線通信情報収集部２０３ａ、情報処理部２０４ａ、無線設定部２０５ａ、無線環境情報収集部２１０およびネットワーク通信部２１１を備える。ここで、図２で説明した無線基地局１０１のアンテナ２０１、無線部２０２、無線通信情報収集部２０３、情報処理部２０４および無線設定部２０５は、図６に示す無線基地局１０１ａのアンテナ２０１ａ、無線部２０２ａ、無線通信情報収集部２０３ａ、情報処理部２０４ａおよび無線設定部２０５ａにそれぞれ対応し、図２の各ブロックと同様に動作する。図６に示す無線基地局１０１ａと図２で説明した無線基地局１０１との違いは、無線環境情報収集部２１０およびネットワーク通信部２１１を備えることである。
【００５３】
無線環境情報収集部２１０は、無線基地局１０１ａの無線環境情報を収集し、情報処理部２０４ａへ出力する。ここで、無線環境情報は、自局以外の通信に関する情報（他の無線基地局や無線端末局などの通信に関する情報）であり、例えばパケットキャプチャにより取得可能である。
【００５４】
情報処理部２０４ａは、無線通信情報収集部２０３ａから無線通信情報を取得し、無線環境情報収集部２１０から無線環境情報を取得する。そして、情報処理部２０４ａが図２に示した情報処理部２０４と異なる点は、ネットワーク通信部２１１およびネットワーク３０２を介して制御局３０３へ無線通信情報および無線環境情報を送信することである。また、情報処理部２０４ａは、ネットワーク３０２およびネットワーク通信部２１１を介して制御局３０３からマルチキャスト通信の伝送パラメータまたはブロードキャスト通信の伝送パラメータを受信して、無線設定部２０５ａに出力する。
【００５５】
無線設定部２０５ａは、情報処理部２０４ａが制御局３０３から受信したマルチキャスト通信の伝送パラメータまたはブロードキャスト通信の伝送パラメータを取得し、無線部２０２ａに設定する。
【００５６】
ネットワーク通信部２１１は、ネットワーク３０２を介して接続される制御局３０３との間で通信を行う。例えば、ネットワーク通信部２１１は、ネットワーク３０２を介して、情報処理部２０４ａが取得した無線通信情報および無線環境情報が制御局３０３へ送信される。また、ネットワーク通信部２１１は、ネットワーク３０２を介して、制御局３０３からマルチキャスト通信の伝送パラメータまたはブロードキャスト通信の伝送パラメータを受信して情報処理部２０４ａに出力する。
【００５７】
一方、図６において、制御局３０３は、ネットワーク通信部４０１、情報処理部４０２および情報記録部４０３を有する。
【００５８】
ネットワーク通信部４０１は、ネットワーク３０２を介して、複数の無線基地局１０１ａと通信を行う。
【００５９】
情報処理部４０２は、ネットワーク通信部４０１およびネットワーク３０２を介して、複数の無線基地局１０１ａから無線通信情報および無線環境情報を取得し、無線通信情報および無線環境情報に基づいて、無線基地局１０１ａ毎にマルチキャスト通信の伝送パラメータまたはブロードキャスト通信の伝送パラメータを算出する。そして、情報処理部４０２は、ネットワーク通信部４０１およびネットワーク３０２を介して、算出されたマルチキャスト通信の伝送パラメータまたはブロードキャスト通信の伝送パラメータを各無線基地局１０１ａへ送信する。なお、情報処理部４０２は、無線基地局１０１ａ毎に無線通信情報および無線環境情報と、マルチキャスト通信の伝送パラメータまたはブロードキャスト通信の伝送パラメータとを情報記録部４０３に出力する。
【００６０】
情報記録部４０３は、情報処理部４０２から出力される無線通信情報および無線環境情報、マルチキャスト通信の伝送パラメータまたはブロードキャスト通信の伝送パラメータを無線基地局１０１ａ毎にメモリなどの記録媒体に記録する。
【００６１】
このように、第２実施形態に係る無線基地局１０１ａは、受信確認を行うことができるユニキャスト通信の無線通信情報と、自局以外の無線通信に関する無線環境情報とを取得して、受信確認を行うことができないマルチキャスト通信の伝送パラメータまたはブロードキャスト通信の伝送パラメータを最適化することができ、無線通信効率を向上することができる。
【００６２】
図７は、第２実施形態に係る制御局３０３および無線基地局１０１ａの処理例を示す。図７に示す処理は、無線基地局１０１ａにおけるマルチキャスト通信の伝送パラメータまたはブロードキャスト通信の伝送パラメータの設定手順の一例であり、図６で説明した無線基地局１０１ａの各ブロックにより実行される。
【００６３】
ここで、図４に示す処理との違いは、複数の無線基地局１０１ａのマルチキャスト通信の伝送パラメータまたはブロードキャスト通信の伝送パラメータの算出を制御局３０３が一括して行い、制御局３０３が各無線基地局１０１ａに算出したそれぞれのマルチキャスト通信の伝送パラメータまたはブロードキャスト通信の伝送パラメータを通知することである。
【００６４】
ステップＳ２０１において、無線基地局１０１ａは、無線通信情報および無線環境情報を取得し、制御局３０３へ通知する。
【００６５】
ステップＳ２０２において、制御局３０３は、複数の無線基地局１０１ａから取得した無線通信情報および無線環境情報に基づいて、マルチキャスト通信の伝送パラメータまたはブロードキャスト通信の伝送パラメータを算出し、配下の無線基地局１０１ａへ通知する。
【００６６】
ステップＳ２０３において、無線基地局１０１ａは、制御部３０３からマルチキャスト通信の伝送パラメータまたはブロードキャスト通信の伝送パラメータを取得して、自局の無線部２０２に設定する。なお、複数の無線基地局１０１ａのそれぞれにおいて、同様の処理が行われる。ここで、各々の無線基地局１０１ａ毎に、設定されるマルチキャスト通信の伝送パラメータまたはブロードキャスト通信の伝送パラメータは、それぞれの通信エリア３０１の通信環境に適した伝送パラメータが設定される。
【００６７】
このようにして、本実施形態に係る無線通信システム１００ａでは、複数の無線基地局１０１ａにネットワーク３０２を介して接続される制御局３０３が一括して各々の無線基地局１０１ａの配下の無線端末局１０２との無線通信情報に基づいて、無線基地局１０１ａ毎にマルチキャスト通信の伝送パラメータまたはブロードキャスト通信の伝送パラメータを算出して、複数の無線基地局１０１ａにマルチキャスト通信の伝送パラメータまたはブロードキャスト通信の伝送パラメータを設定することができる。そして、図７で説明した処理を予め決められた時間間隔で定期的に実行することで、無線通信状態や無線通信環境に変動がある場合でも、マルチキャスト通信またはブロードキャスト通信における伝送パラメータを最適化することができ、無線通信効率を向上することができる。
【００６８】
なお、図５に示した第２実施形態において、制御局３０３は、複数の無線基地局１０１ａ（１）から無線基地局１０１ａ（Ｍ）までのＭ個の無線基地局１０１ａの全てまたは一部の複数台から取得した無線通信情報および無線環境情報に対してまとめて上述の処理を行い、全てまたは一部の無線基地局１０１ａに対してマルチキャスト通信の伝送パラメータまたはブロードキャスト通信の伝送パラメータを同じ設定にするようにしてもよい。
【００６９】
ここで、上述の実施形態では、伝送パラメータを取得するために受信確認を行うことができる通信としてユニキャスト通信を利用する例について説明したが、ユニキャスト通信以外の通信で伝送パラメータを取得可能な通信を利用してもよい。
【００７０】
また、第１実施形態における無線基地局１０１および無線端末局１０２と、第２実施形態における制御局３０３、無線基地局１０１ａおよび無線端末局１０２は、専用装置による実現に限らず、汎用コンピュータで実現するようにしてもよい。その場合、各実施形態で説明した機能を実現するためのプログラムをコンピュータで読み取り可能な記録媒体に記録して、この記録媒体に記録されたプログラムをコンピュータシステムに読み込ませ、実行することによって実現してもよい。ここで、「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことである。なお、「コンピュータで読み取り可能な記録媒体」は、インターネット等のネットワークや電話回線等の通信回線を介してプログラムを送信する場合の通信線上で短時間の間、動的にプログラムを保持するもの、例えばサーバやクライアントとなるコンピュータシステム内部の揮発性メモリのように、一定時間プログラムを保持するものを含んでもよい。また、上述のプログラムは、各実施形態で説明した機能の一部を実現するためのものであってもよいし、上述の機能がコンピュータシステムに既に記録されているプログラムとの組み合わせで実現できるものであってもよい。例えば、ＰＬＤ（Programmable Logic Device）やＦＰＧＡ（Field Programmable Gate Array）等のハードウェアを用いて実現されるものであってもよい。
【００７１】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【符号の説明】
【００７２】
１００，１００ａ・・・無線通信システム；１０１，１０１ａ・・・無線基地局；１０２・・・無線端末局；２０１，２０１ａ・・・アンテナ；２０２，２０２ａ・・・無線部；２０３，２０３ａ・・・無線通信情報収集部；２０４，２０４ａ・・・情報処理部；２０５，２０５ａ・・・無線設定部；２１０・・・無線環境情報収集部；２１１・・・ネットワーク通信部；３０１・・・通信エリア；３０２・・・ネットワーク；３０３・・・制御局
【図１】
2020167451.tif 000003
【図２】
2020167451.tif 000004
【図３】
2020167451.tif 000005
【図４】
2020167451.tif 000006
【図５】
2020167451.tif 000007
【図６】
2020167451.tif 000008
【図７】
2020167451.tif 000009